(57)【特許請求の範囲】
【請求項１】
正面視で上下および左右に幅を有する矩形のメモ用紙において、
前記メモ用紙の表面の最上部最左端部は、第１の優先順位を示す第１の識別可能な色が印刷された第１色部であり、
前記メモ用紙の表面の前記第１色部の右隣は、第２の優先順位を示す第２の識別可能な色が印刷された第２色部であり、
前記メモ用紙の表面の最上部最右端部は、第４の優先順位を示す第４の識別可能な色が印刷された第４色部であり、
前記メモ用紙の表面の前記第４色部の左隣は、第３の優先順位を示す第３の識別可能な色が印刷された第３色部であり、
前記メモ用紙の表面の前記第２色部と前記第３色部との間には、矩形の最上部中央領域が設けられ、
前記第１色部と前記第２色部との境界、前記第２色部と前記最上部中央領域との境界、前記最上部中央領域と前記第３色部との境界、前記第３色部と前記第４色部との境界には、それぞれ上下方向の切り込みが入れられ、
前記メモ用紙の表面の前記第１色部の直下から前記第４色部の直下までの前記メモ用紙の左右の幅にわたる領域に、少なくとも、処理を行った日付および担当者を記入可能な矩形の日付担当者記入部が設けられ、
前記メモ用紙の裏面には、少なくとも前記メモ用紙の表面の前記最上部中央領域および前記日付担当者記入部の裏側にあたる領域に、前記メモ用紙を貼付、剥離、再貼付および再剥離が可能な粘着性再剥離糊が塗布された粘着性再剥離糊部が設けられており、
前記第１色部は、当該第１色部と前記日付担当者記入部との境界で山折りされ、前記第１色部の裏側が前記メモ用紙の裏面の前記粘着性再剥離糊部に貼り付けられることにより、表面側から視認することができないように固定可能であり、
前記第２色部は、当該第２色部と前記日付担当者記入部との境界で山折りされ、前記第２色部の裏側が前記メモ用紙の裏面の前記粘着性再剥離糊部に貼り付けられることにより、表面側から視認することができないように固定可能であり、
前記第３色部は、当該第３色部と前記日付担当者記入部との境界で山折りされ、前記第３色部の裏側が前記メモ用紙の裏面の前記粘着性再剥離糊部に貼り付けられることにより、表面側から視認することができないように固定可能であり、
前記第４色部は、当該第４色部と前記日付担当者記入部との境界で山折りされ、前記第４色部の裏側が前記メモ用紙の裏面の前記粘着性再剥離糊部に貼り付けられることにより、表面側から視認することができないように固定可能である
ことを特徴とするメモ用紙。
【発明の詳細な説明】
【技術分野】
【０００１】
この発明は、裏面の一部に粘着性再剥離糊部を有する識別色視認一体型粘着性再剥離糊部付きメモ用紙に関するものである。
【背景技術】
【０００２】
例えば、災害等の緊急時には、様々な処理が発生し、どの処理内容から先に処理しなければならないか、という優先順位をつけながら処理を行っている。この際、発生した処理内容については、例えば、ホワイトボードに書き込んだり、処理内容を記載したメモをボードに貼り付けていくなどして、大勢の関係者が処理内容を把握したりチェックしたりできるようにしている。
【０００３】
このような手法は、情報の一覧性には優れるものの、重要な内容の見落としや、どの処理内容から先に処理しなければならないかという判断のミスなどにより、緊急を要する処理に遅れが生じるなど、人的な要因による処理上の問題があった。
このような問題に対処するために、例えば特許文献１には、緊急時に収集された情報をもれなく確実にかつ効率よく把握するためのシステムが開示されている。
【先行技術文献】
【特許文献】
【０００４】
【特許文献１】特開２００６−２２１５５５号公報
【発明の概要】
【発明が解決しようとする課題】
【０００５】
しかしながら、例えば特許文献１に示すようなシステムは、復旧支援時など、ある程度情報が一元化されて収集され、かつ、システムが使用可能な状況になってからであれば機能するが、災害発生時等の緊急時には、依然として、発生した処理内容についてホワイトボードに書き込んだり、処理内容を記載したメモをボードに貼り付けていくなどして、大勢の関係者が処理内容を把握したりチェックしたりするしかないのが現状である。
【０００６】
しかし、この際に、どの処理内容から先に処理しなければならないか、という判断を下すためには記載された処理内容を細かく読む必要があって手間がかかるとともに、優先順位が高い処理内容がどれであるかを一目で把握することができずに混乱を招いていることが多い、という課題があった。
【０００７】
また、本当は優先順位が高いにもかかわらず見落とされてしまった処理があった場合、重大な事態に発展するおそれがある、という課題もあった。
さらに、誰がいつ処理を行ったのかがわからないために二度手間になってしまうことがあるという課題や、何らかの処理を行ったために優先順位が下がった場合などにそのことを処理担当者等の関係者が認識することが難しいという課題もあった。
【０００８】
この発明は、上記のような課題を解決するためになされたものであり、記載された処理内容の優先順位を一目でわかるように示すことが可能であり、優先順位の変化にも対応可能な識別色視認一体型粘着性再剥離糊部付きメモ用紙を提供することを目的とする。
【課題を解決するための手段】
【０００９】
上記目的を達成するため、この発明は、正面視で上下および左右に幅を有する矩形のメモ用紙において、前記メモ用紙の表面の最上部最左端部は、第１の優先順位を示す第１の識別可能な色が印刷された第１色部であり、前記メモ用紙の表面の前記第１色部の右隣は、第２の優先順位を示す第２の識別可能な色が印刷された第２色部であり、前記メモ用紙の表面の最上部最右端部は、第４の優先順位を示す第４の識別可能な色が印刷された第４色部であり、前記メモ用紙の表面の前記第４色部の左隣は、第３の優先順位を示す第３の識別可能な色が印刷された第３色部であり、前記メモ用紙の表面の前記第２色部と前記第３色部との間には、矩形の最上部中央領域が設けられ、前記第１色部と前記第２色部との境界、前記第２色部と前記最上部中央領域との境界、前記最上部中央領域と前記第３色部との境界、前記第３色部と前記第４色部との境界には、それぞれ上下方向の切り込みが入れられており、前記メモ用紙の表面の前記第１色部の直下から前記第４色部の直下までの前記メモ用紙の左右の幅にわたる領域に、少なくとも、処理を行った日付および担当者を記入可能な矩形の日付担当者記入部が設けられ、前記メモ用紙の裏面には、少なくとも前記メモ用紙の表面の前記最上部中央領域および前記日付担当者記入部の裏側にあたる領域に、前記メモ用紙を貼付、剥離、再貼付および再剥離が可能な粘着性再剥離糊が塗布された粘着性再剥離糊部が設けられており、前記第１色部は、当該第１色部と前記日付担当者記入部との境界で山折りされ、前記第１色部の裏側が前記メモ用紙の裏面の前記粘着性再剥離糊部に貼り付けられることにより、表面側から視認することができないように固定可能であり、前記第２色部は、当該第２色部と前記日付担当者記入部との境界で山折りされ、前記第２色部の裏側が前記メモ用紙の裏面の前記粘着性再剥離糊部に貼り付けられることにより、表面側から視認することができないように固定可能であり、前記第３色部は、当該第３色部と前記日付担当者記入部との境界で山折りされ、前記第３色部の裏側が前記メモ用紙の裏面の前記粘着性再剥離糊部に貼り付けられることにより、表面側から視認することができないように固定可能であり、前記第４色部は、当該第４色部と前記日付担当者記入部との境界で山折りされ、前記第４色部の裏側が前記メモ用紙の裏面の前記粘着性再剥離糊部に貼り付けられることにより、表面側から視認することができないように固定可能であることを特徴とする。
【発明の効果】
【００１０】
この発明の識別色一体型粘着性再剥離糊部付きメモ用紙によれば、記載された処理内容の優先順位を一目でわかるように示すことができるので、大勢の関係者にとって優先順位が高い処理内容がどれであるかを一目で把握することができる。また、誰がいつ処理を行ったのかを確認することができるとともに、優先順位が変化した場合にもその変化した優先順位を一目でわかるように示すことができるので、処理担当者が処理を行ったことによって優先順位が変化した場合にもそのことを全関係者が認識することができる。その結果、確実に優先順位の高い処理内容から処理を行うことができるので、重大な事態に発展することなく、災害等の緊急時にも落ち着いて必要な処理が順次行われることとなる。
【図面の簡単な説明】
【００１１】
【図１】この発明の実施の形態１における識別色一体型粘着性再剥離糊部付きメモ用紙の一例を示す説明図である。
【図２】この発明の実施の形態１において、メモ用紙に記載された処理内容が第１優先順位で処理すべき内容である場合の使用例を示す説明図である。
【図３】この発明の実施の形態１において、メモ用紙に記載された処理内容が第２優先順位で処理すべき内容である場合の使用例を示す説明図である。
【図４】この発明の実施の形態１において、メモ用紙に記載された処理内容が第３優先順位で処理すべき内容である場合の使用例を示す説明図である。
【図５】この発明の実施の形態１において、メモ用紙に記載された処理内容が第４優先順位で処理すべき内容または処理が完了した場合の使用例を示す説明図である。
【図６】この発明の実施の形態１における、より具体的な識別色一体型粘着性再剥離糊部付きメモ用紙の一例を示す図である。
【図７】この発明の実施の形態１において、複数の識別色一体型粘着性再剥離糊部付きメモ用紙がホワイトボードに貼り付けられている状態を示す図である。
【図８】この発明の実施の形態１において、たくさんの識別色一体型粘着性再剥離糊部付きメモ用紙がホワイトボードに貼り付けられている状態を示す説明図である。
【図９】この発明の実施の形態１における識別色一体型粘着性再剥離糊部付きメモ用紙の別の例であって、情報記入部の上下方向の中央付近に折り曲げ線が設けられている識別色一体型粘着性再剥離糊部付きメモ用紙の一例を示す図である。
【図１０】図９に示す識別色一体型粘着性再剥離糊部付きメモ用紙を折り曲げ線で谷折りに折り曲げた状態を示す図である。
【図１１】図１０に示すように折り曲げ線で谷折りに折り曲げたたくさんの識別色一体型粘着性再剥離糊部付きメモ用紙をホワイトボードに貼り付けた状態を示す説明図である。
【図１２】この発明の実施の形態２における識別色一体型粘着性再剥離糊部付きメモ用紙の一例を示す説明図である。
【図１３】この発明の実施の形態２における識別色一体型粘着性再剥離糊部付きメモ用紙を通常のメモ用紙に貼り付けた状態を表面から見た使用例を示す図である。
【図１４】この発明の実施の形態２における識別色一体型粘着性再剥離糊部付きメモ用紙を通常のメモ用紙に貼り付けた状態を裏面から見た使用例を示す図である。
【図１５】この発明の実施の形態３における識別色一体型粘着性再剥離糊部付きメモ用紙の一例を示す説明図である。
【図１６】この発明の実施の形態３において、メモ用紙に記載された処理内容が第１優先順位で処理すべき内容である場合の使用例を示す説明図である。
【図１７】この発明の実施の形態３において、メモ用紙に記載された処理内容が第２優先順位で処理すべき内容である場合の使用例を示す説明図である。
【図１８】この発明の実施の形態３において、メモ用紙に記載された処理内容が第３優先順位で処理すべき内容である場合の使用例を示す説明図である。
【図１９】この発明の実施の形態３において、メモ用紙に記載された処理内容が第４優先順位で処理すべき内容または処理が完了した場合の使用例を示す説明図である。
【図２０】この発明の実施の形態４における識別色一体型粘着性再剥離糊部付きメモ用紙の一例を示す説明図である。
【図２１】この発明の実施の形態４において、メモ用紙に記載された処理内容が第１優先順位で処理すべき内容である場合の使用例を示す説明図である。
【図２２】この発明の実施の形態４において、メモ用紙に記載された処理内容が第２優先順位で処理すべき内容である場合の使用例を示す説明図である。
【図２３】この発明の実施の形態４において、メモ用紙に記載された処理内容が第３優先順位で処理すべき内容である場合の使用例を示す説明図である。
【図２４】この発明の実施の形態４において、メモ用紙に記載された処理内容が第４優先順位で処理すべき内容または処理が完了した場合の使用例を示す説明図である。
【発明を実施するための形態】
【００１２】
以下、この発明の実施の形態について、図面を参照しながら詳細に説明する。
実施の形態１．
図１は、この発明の実施の形態１における識別色一体型粘着性再剥離糊部付きメモ用紙の一例を示す説明図である。この識別色一体型粘着性再剥離糊部付きメモ用紙１は、図１（ａ）に示すように、正面視で上下および左右に幅を有する矩形のメモ用紙であって、表面に、処理内容を記載するための情報記入部１０と、少なくとも処理を行った日付および担当者を記入可能な矩形の日付担当者記入部１１とが設けられている。
【００１３】
また、このメモ用紙１の表面の最上部最左端部は、第１の優先順位を示す第１の識別可能な色（この実施の形態１では、赤色とする）が印刷された第１色部２１であり、そのすぐ右隣、すなわち、メモ用紙１の表面の最上部最左端部にある第１色部２１の右隣は、第２の優先順位を示す第２の識別可能な色（この実施の形態１では、黄色とする）が印刷された第２色部２２である。
【００１４】
また、このメモ用紙１の表面の最上部最右端部は、第４の優先順位を示す第４の識別可能な色（この実施の形態１では青色とする）が印刷された第４色部２４であり、そのすぐ左隣、すなわち、メモ用紙１の表面の最上部最右端部にある第４色部２４の左隣は、第３の優先順位を示す第３の識別可能な色（この実施の形態１では緑色とする）が印刷された第３色部２３である。
【００１５】
また、このメモ用紙１の表面の第２色部２２と第３色部２３との間には、矩形の最上部中央領域１２が設けられており、この最上部中央領域１２には、例えばメモ内容の区分を記入することができるようにすることができる（後述の図６参照）。ただし、この最上部中央領域１２は、必ずしも区分を記入する領域でなくてもよいし、メモを最初に記入した（受け付けた）日付や担当者を記入できるようにしてもよい。
【００１６】
そして、第１色部２１と第２色部２２との境界には上下方向の切り込み３１が入れられており、第２色部２２と最上部中央領域１２との境界には上下方向の切り込み３２が入れられている。また、最上部中央領域１２と第３色部２３との境界には上下方向の切り込み３３が入れられており、第３色部２３と第４色部２４との境界には上下方向の切り込み３４が入れられている。
【００１７】
また、メモ用紙１の表面の第１色部２１の直下から第４色部２４の直下までのメモ用紙１の左右の幅にわたる領域に、少なくとも、処理を行った日付および担当者を記入可能な矩形の日付担当者記入部１１が設けられ、この日付担当者記入部１１よりさらに下の部分が、処理内容等の情報を自由に記入可能な情報記入部１０になっている。
【００１８】
そして、第１色部２１と第２色部２２との境界、第２色部２２と最上部中央領域１２との境界、最上部中央領域１２と第３色部２３との境界、第３色部２３と第４色部２４との境界に、それぞれ上下方向の切り込み３１〜３４が入っていることにより、第１色部２１、第２色部２２、第３色部２３および第４色部２４は、それぞれの下辺を山にして折り曲げることにより、すなわち、それぞれの色部（２１〜２４）と日付担当者記入部１１との境界で山折りすることにより、それぞれが裏側に隠れて視認されなくなる。
【００１９】
さらに、図１（ｂ）に示すように、このメモ用紙１の裏面には、少なくともメモ用紙１の表面の最上部中央領域１２および日付担当者記入部１１の裏側にあたる領域に、このメモ用紙１を貼付、剥離、再貼付および再剥離が可能な粘着性再剥離糊が塗布された粘着性再剥離糊部１３が設けられている。
【００２０】
すなわち、このメモ用紙１の裏面の粘着性再剥離糊部１３は、粘着性再剥離糊が塗布された粘着性の糊部であり、このメモ用紙１をホワイトボードやノートなどに貼り付けたり剥がしたりすることが何度でもできるようになっている。
【００２１】
なお、この実施の形態１では、第１色部２１の裏側４１、第２色部２２の裏側４２、第３色部２３の裏側４３および第４色部２４の裏側４４には粘着性再剥離糊部１３は設けられていないが、これらの箇所にも粘着性再剥離糊を塗布し、これらの箇所と、最上部中央領域１２および日付担当者記入部１１の裏側にあたる領域とを、粘着性再剥離糊部１３としてもよい。
【００２２】
また、上述のように、このメモ用紙１の表面が視認できる状態において、第１色部２１〜第４色部２４のそれぞれは、それぞれの色部（２１〜２４）の下辺で山折りされ、すなわち、それぞれの色部（２１〜２４）と日付担当者記入部１１との境界で山折りされ、それぞれの色部（２１〜２４）の裏側（４１〜４４）がメモ用紙１の裏面の粘着性再剥離糊部１３に貼り付けられることにより、表面側から視認することができないように裏側に折り曲げて固定可能である。
【００２３】
なお、上記のように折り曲げて、第１色部２１の裏側４１〜第４色部２４の裏側４４をメモ用紙１の裏面の粘着性再剥離糊部１３に貼り付けて固定することができるとともに、それをまた剥がして元に戻すことにより、第１色部２１〜第４色部２４のそれぞれを視認可能な状態にすることができる。
【００２４】
次に、このメモ用紙１を使用する際の使用例について、図２〜図５を用いて説明する。図２は、この実施の形態１において、メモ用紙１に記載された処理内容が第１優先順位で処理すべき内容である場合の使用例を示す説明図、図３は、メモ用紙１に記載された処理内容が第２優先順位で処理すべき内容である場合の使用例を示す説明図、図４は、メモ用紙１に記載された処理内容が第３優先順位で処理すべき内容である場合の使用例を示す説明図、図５は、メモ用紙１に記載された処理内容が第４優先順位で処理すべき内容または処理が完了した場合の使用例を示す説明図である。
【００２５】
メモ用紙１に記載された処理内容がかなり重要であり、第１優先順位で処理すべき内容であると判断した担当者は、図１（ａ）に示すメモ用紙１の最上部最左端部の第１の識別可能な色（赤色）が印刷された第１色部２１はそのままとし、その第１色部２１の右隣の第２の識別可能な色（黄色）が印刷された第２色部２２の下辺で山折りにして、その第２色部２２を裏側方向に折り曲げることにより、その第２色部２２の裏側４２がメモ用紙１の裏面の粘着性再剥離糊部１３に貼り付けられて固定され、第２色部２２は表側から視認できなくなる。
【００２６】
同様に、図１に示すメモ用紙１の最上部最右端部の第４の識別可能な色（青色）が印刷された第４色部２４と、その第４色部２４の左隣の第３の識別可能な色（緑色）が印刷された第３色部２３についてもそれぞれの下辺で山折りにして、それら第３色部２３および第４色部２４を裏側方向に折り曲げることにより、その第３色部２３の裏側４３および第４色部２４の裏側４４がメモ用紙１の裏面の粘着性再剥離糊部１３に貼り付けられて固定され、第３色部２３および第４色部２４も表側から視認できなくなる。
【００２７】
この結果、図２に示すように、このメモ用紙１は第１の優先順位を示す第１の識別可能な色（赤色）が印刷された第１色部２１のみが視認できる状態となり、他の第２色部２２、第３色部２３、第４色部２４は視認できなくなるので、すべての関係者が、このメモ用紙１の処理内容が第１優先順位で処理すべき内容であることを一目で把握することができる。
【００２８】
また、メモ用紙１に記載された処理内容が重要であり、第２優先順位で処理すべき内容であると判断した担当者は、図１に示すメモ用紙１の第１の識別可能な色（赤色）が印刷された第１色部２１の下辺で山折りにして、その第１色部２１を裏側方向に折り曲げることにより、その第１色部２１の裏側４１がメモ用紙１の裏面の粘着性再剥離糊部１３に貼り付けられて固定され、第１色部２１は表側から視認できなくなる。
【００２９】
同様に、図１に示すメモ用紙１の第３の識別可能な色（緑色）が印刷された第３色部２３と第４の識別可能な色（青色）が印刷された第４色部２４についてもそれぞれの下辺で山折りにして、それら第３色部２３および第４色部２４を裏側方向に折り曲げることにより、その第３色部２３の裏側４３および第４色部２４の裏側４４がメモ用紙１の裏面の粘着性再剥離糊部１３に貼り付けられて固定され、第３色部２３および第４色部２４も表側から視認できなくなる。
【００３０】
この結果、図３に示すように、このメモ用紙１は第２の優先順位を示す第２の識別可能な色（黄色）が印刷された第２色部２２のみが視認できる状態となり、他の第１色部２１、第３色部２３、第４色部２４は視認できなくなるので、すべての関係者が、このメモ用紙１の処理内容が第２優先順位で処理すべき内容であることを一目で把握することができる。
【００３１】
また、メモ用紙１に記載された処理内容がそれほど重要ではなく、第３優先順位で処理すればよい内容であると判断した担当者は、図１に示すメモ用紙１の第１の識別可能な色（赤色）が印刷された第１色部２１と、第２の識別可能な色（黄色）が印刷された第２色部２２とをそれぞれの下辺で山折りにして、それら第１色部２１および第２色部２２を裏側方向に折り曲げることにより、その第１色部２１の裏側４１および第２色部２２の裏側４２がメモ用紙１の裏面の粘着性再剥離糊部１３に貼り付けられて固定され、第１色部２１および第２色部２２は表側から視認できなくなる。
【００３２】
同様に、図１に示すメモ用紙１の第４の識別可能な色（青色）が印刷された第４色部２４についてもその下辺で山折りにして、その第４色部２４を裏側方向に折り曲げることにより、その第４色部２４の裏側４４がメモ用紙１の裏面の粘着性再剥離糊部１３に貼り付けられて固定され、第４色部２４も表側から視認できなくなる。
【００３３】
この結果、図４に示すように、このメモ用紙１は第３の優先順位を示す第３の識別可能な色（緑色）が印刷された第３色部２３のみが視認できる状態となり、他の第１色部２１、第２色部２２、第４色部２４は視認できなくなるので、すべての関係者が、このメモ用紙１の処理内容が第３優先順位で処理すべき内容であることを一目で把握することができる。
【００３４】
また、メモ用紙１に記載された処理内容が重要ではなく、第４優先順位で処理すればよい内容であると判断した、または、処理が完了したと判断した担当者は、図１に示すメモ用紙１の第１の識別可能な色（赤色）が印刷された第１色部２１と、第２の識別可能な色（黄色）が印刷された第２色部２２とをそれぞれの下辺で山折りにして、それら第１色部２１および第２色部２２を裏側方向に折り曲げることにより、その第１色部２１の裏側４１および第２色部２２の裏側４２がメモ用紙１の裏面の粘着性再剥離糊部１３に貼り付けられて固定され、第１色部２１および第２色部２２は表側から視認できなくなる。
【００３５】
同様に、図１に示すメモ用紙１の第３の識別可能な色（緑色）が印刷された第３色部２３についてもその下辺で山折りにして、その第３色部２３を裏側方向に折り曲げることにより、その第３色部２３の裏側４３がメモ用紙１の裏面の粘着性再剥離糊部１３に貼り付けられて固定され、第３色部２３も表側から視認できなくなる。
【００３６】
この結果、図５に示すように、このメモ用紙１は第４の優先順位を示す第４の識別可能な色（青色）が印刷された第４色部２４のみが視認できる状態となり、他の第１色部２１、第２色部２２、第３色部２３は視認できなくなるので、すべての関係者が、このメモ用紙１の処理内容が第４優先順位で処理すべき内容であること、または、処理が完了したことを一目で把握することができる。
【００３７】
このように、この識別色一体型粘着性再剥離糊部付きメモ用紙１は、裏面に粘着性再剥離糊部１３があり、裏側方向に折り曲げたそれぞれの色部を、その粘着性再剥離糊部１３に貼り付けて固定することができるので、不要な色部を単に裏側方向に折り曲げただけの場合には跳ね上がってきてしまい、不要な色部が視認できてしまう、というような不具合が生じるおそれがない。
【００３８】
その結果、この実施の形態１における識別色一体型粘着性再剥離糊部付きメモ用紙１は、第１の優先順位を示す第１の識別可能な色が印刷された第１色部２１、第２の優先順位を示す第２の識別可能な色が印刷された第２色部２２、第３の優先順位を示す第３の識別可能な色が印刷された第３色部２３、第４の優先順位を示す第４の識別可能な色が印刷された第４色部２４のいずれか１つのみを視認できる状態とすることができるので、すべての関係者が、このメモ用紙１の処理内容がどの優先順位で処理すべき内容であるかを一目で把握することができる。
【００３９】
なお、この実施の形態１では、第１の識別可能な色を赤色、第２の識別可能な色を黄色、第３の識別可能な色を緑色、第４の識別可能な色を青色として説明しているが、それぞれの色についてはこれに限定されるものではなく、４種類に識別可能な色であればどのような色を用いてもよいことは言うまでもない。以下の実施の形態においても同様である。
【００４０】
次に、この識別色一体型粘着性再剥離糊部付きメモ用紙１の具体的な使用例について、図６〜図８を用いて説明する。
図６は、より具体的な識別色一体型粘着性再剥離糊部付きメモ用紙１の一例を示す図である。図６に示すように、このメモ用紙１の最上部中央領域１２には、情報記入部１０に記載された処理内容の区分が記入できるようになっている。区分とは、例えば、このメモ用紙１を災害時に使用する場合には、救助に関すること、救援物資に関すること、自治体からの連絡事項に関すること、など、メモ用紙１に記載された処理内容のカテゴリーを示すものである。
【００４１】
なお、ここでは、説明を簡単にするために、カテゴリーの種類も上記の３種類として説明するが、例えば災害時であれば、上記に挙げた区分（カテゴリー）以外に、医療に関すること、火災に関すること、食糧・水に関すること、電力に関すること、道路状況に関すること、公共団体、自衛隊、警察、消防、他災害救助主団体に関すること、災害地域別のことなど、様々なものが考えられる。
【００４２】
また、災害時に限らず平常時であっても、例えば会社内において、営業、経理、製造などの事業部門ごとの区分を設けたり、商品別、社員別、業務判断確認用、社員教育用など、様々な分類の仕方が考えられ、そのような通常業務において、この実施の形態１における識別色一体型粘着性再剥離糊部付きメモ用紙１を使用してもよい。
【００４３】
このように、最上部中央領域１２に区分（カテゴリー）を記入することにより、たくさんのメモ用紙１が存在する場合であっても、そこに記載されている情報の混在化を防止して、カテゴリーごとに分類することが可能となる。
【００４４】
また、この最上部中央領域１２には、必ずしも区分を記入しなければいけないわけではなく、例えば、この識別色一体型粘着性再剥離糊部付きメモ用紙１に処理内容を記載した日、すなわち、その処理内容を受け付けた日時や受け付けた担当者を記入する欄として使用するなど、他の情報を記入する領域として使用してもよい。
【００４５】
このように、最上部中央領域１２に受付日時や受付担当者を記入することにより、各メモ用紙１に記載されている情報を入手した（受け付けた）日時や担当者を明確化することが可能となる。
【００４６】
ここでは、この最上部中央領域１２には、このメモ用紙１に記載する処理内容が、救助に関することである場合には「救助」、救援物資に関することである場合には「救援物資」、自治体からの連絡事項に関することである場合には「連絡事項」という区分を記載する、というルールで運用されているものとして説明する。
【００４７】
そして、例えば、かなり重要な人命救助に関する処理が必要な場合には、情報記入部１０に具体的な処理内容を記入するとともに、図２に示すようにこのメモ用紙１の第１の識別可能な色（赤色）が印刷された第１色部２１のみが視認できる状態となるように他の第２色部２２、第３色部２３、第４色部２４を裏側方向に折り曲げてメモ用紙１の裏面の粘着性再剥離糊部１３に貼り付けて固定し、区分に「救助」と記載して、図７に示すように、ホワイトボード５０などに貼り付ける。
【００４８】
図７は、複数の識別色一体型粘着性再剥離糊部付きメモ用紙１がホワイトボード５０に貼り付けられている状態を示す図である。ここでは、３枚のメモ用紙１が貼り付けられている状態を示しており、１番左のメモ用紙１は、第１の優先順位で処理すべきことを示す第１の識別可能な色が印刷された第１色部２１が視認可能な状態にされており、区分には「救助」、内容としては「○○地区に２人生存」と記載されている。これにより、○○地区の生存者２人の救助を第１の優先順位で行う必要があることを誰もが認識することができる。
【００４９】
また２番目のメモ用紙１も、第１の優先順位で処理すべきことを示す第１の識別可能な色が印刷された第１色部２１が視認可能な状態にされており、区分には「救援物資」、内容としては「△△避難所に毛布１００枚」と記載れている。これにより、△△避難所に毛布１００枚が必要であり、第１の優先順位で手配する必要があることを誰もが認識することができる。
【００５０】
また３番目のメモ用紙１は、第４の優先順位で処理すべきことを示す第４の識別可能な色が印刷された第４色部２４が視認可能な状態にされており、区分には「救助」、内容としては「××地区でケガ人手当て」と記載されている。
【００５１】
このように、最上部中央領域１２に区分の欄を設けておき、区分ごとにわけてメモ用紙１を貼り付けておくことにより、その区分ごとに優先順位の高いものをすぐに認識することができる。
なお、このメモ用紙１そのものを、薄いピンク色、薄い黄色、薄い水色、薄い黄緑色、薄い灰色など色違いで作成することにより、区分ごとの違いを示すようにしてもよい。
【００５２】
また、区分によって、優先順位を示すような使い方をしてもよい。例えば、処理内容が救助に関するものである場合には、第１の優先順位で処理すべきことを示す第１の識別可能な色が印刷された第１色部２１のみを視認可能な状態とし、処理内容が救援物資に関するものである場合には、第２の優先順位で処理すべきことを示す第２の識別可能な色が印刷された第２色部２２のみを視認可能な状態とし、処理内容が連絡事項に関するものである場合には、第３の優先順位で処理すべきことを示す第３の識別可能な色が印刷された第３色部２３のみを視認可能な状態とし、それぞれの処理が終了した場合には、第４の識別可能な色が印刷された第４色部２４のみを視認可能な状態とする、というようにしてもよい。なお、この場合には、最上部中央領域には、区分ではなく受付日時や受付担当者を記入するなどすればよい。
【００５３】
なお、図７に示す３番目のメモ用紙１は、日付担当者記入部１１に「○年△月×日」という日付と「□□」という担当者が記入されている。このメモ用紙１は、当初は第１の優先順位で処理すべきことを示す第１の識別可能な色が印刷された第１色部２１が視認可能な状態とされていたが、その処置を○年△月×日に□□という担当者が行ったことにより、処理日および処理者の欄に日付（○年△月×日）と担当者（□□）が記入された上で、第４の優先順位（処理完了）に変更されたものである。
【００５４】
すなわち、最初は、××地区にケガ人がおり、第１の優先順位で手当てが必要なことを誰もが認識することができる状態であったが、これを○年△月×日に□□さんが処置したことにより処理が終了したため、第４の優先順位（処理完了）を示す第４の識別可能な色が印刷された第４色部２４が視認可能な状態に変更されたのである。
【００５５】
このように、少なくとも処理を行った日付および担当者を記入可能な日付担当者記入部１１が設けられていることにより、いつ誰が処理を行ったかということを明確に示すことができる。
また、この３番目のメモ用紙１の例のように、処理を行ったことにより優先順位が変わるような場合にも、第１色部２１〜第４色部２４を折り曲げ直すことにより、視認できる色を変えて対応することができる。
【００５６】
なお、図６や図７等に示す例では、日付担当者記入部１１は１行であり、この日付担当者記入部１１に、処理を行った日付および担当者を３回まで記入可能なように３回分の欄を設けているが、１回分や２回分であっても構わないことは言うまでもない。また、少なくとも１回の処理を行った日付および担当者を記入可能であれば、その他に、情報共有先や、その共有先への処理手配日時、処理手配担当者などを記入できるようにしてもよい。また、このように処理を行った日付および担当者以外の多くの情報を記入できるよう、日付担当者記入部１１は２行からなるものであってもよい。
【００５７】
また、区分（カテゴリー）によって、優先順位を示すような使い方をしてもよい。例えば、処理内容が「救助」に関するものである場合には、第１の優先順位で処理すべきことを示す第１の識別可能な色が印刷された第１色部２１のみを視認可能な状態とし、処理内容が「救援物資」に関するものである場合には、第２の優先順位で処理すべきことを示す第２の識別可能な色が印刷された第２色部２２のみを視認可能な状態とし、処理内容が「連絡事項」に関するものである場合には、第３の優先順位で処理すべきことを示す第３の識別可能な色が印刷された第３色部２３のみを視認可能な状態とし、それぞれの処理が終了した場合には、第４の識別可能な色が印刷された第４色部２４のみを視認可能な状態とする、というようにしてもよい。なお、この場合には、最上部中央領域１２には、区分ではなく受付日や受付担当者を記入するなどすればよい。
【００５８】
図８は、例えば震災時など、たくさんの識別色一体型粘着性再剥離糊部付きメモ用紙１がホワイトボード５０に貼り付けられている状態を示す説明図である。
このように、たくさんのメモ用紙１が貼り付けられている状態であっても、各メモ用紙１に記載された処理内容の優先順位を明確に示すことができ、たくさんのメモ用紙１がホワイトボード５０などに貼り付けられていたとしても、どの処理内容を優先して処理しなければいけないかを誰でも一目で認識することができる。
【００５９】
すなわち、各メモ用紙１の優先順位が一目で視認可能な状態になっており、処理の重要性が明確に示されていることにより、処理担当者は、どの処理が優先順位が高いものであるかをすぐに確認することができ、素早く適切な処理を行うことができるので、処理の迅速化をはかることが可能であり、かつ、処理手配の抜かりを防止することができる。
【００６０】
なお、この識別色一体型粘着性再剥離糊部付きメモ用紙１を、企業や団体等における新人教育に用いることにより、より効果が期待できる。すなわち、記載された処理内容についての優先順位を間違いなく付けることができるか、間違いなく分類わけすることができるか、といった事前の教育に用いることにより、災害等の緊急時にも落ち着いて確実に優先順位や区分をつけることができるので、処理の迅速化等の効果をさらに高めることができる。
【００６１】
また、図８に示すように、例えば震災時など、ホワイトボード５０などにたくさんのメモ用紙１が貼り付けられ、その後もまだまだメモ用紙１が増えていくことが予想される場合などのために、メモ用紙１の情報記入部１０の上下方向の中央付近に簡単に折り曲げ可能な折り曲げ線１４を設けておいてもよい。
【００６２】
図９は、識別色一体型粘着性再剥離糊部付きメモ用紙１の別の例であって、情報記入部１０の上下方向の中央付近に折り曲げ線１４が設けられている識別色一体型粘着性再剥離糊部付きメモ用紙１の一例を示す図である。また、図１０は、図９に示す識別色一体型粘着性再剥離糊部付きメモ用紙１をホワイトボード５０に貼り付けた状態で折り曲げ線１４で谷折りに折り曲げた状態を示す図である。なお、この図１０では、第１の識別可能な色が印刷された第１色部２１が視認可能な状態となっている。
【００６３】
図１０に示すように、メモ用紙１を折り曲げ線１４で折り曲げてもメモ用紙１の上部に設けられた第１〜第４の識別可能な色が印刷された第１色部２１〜第４色部２４のいずれかを視認することができる位置に折り曲げ線１４は設けられているので、折り曲げ線１４でメモ用紙１を折り曲げても、各メモ用紙に記載された処理内容の優先順位を一目で確認することができるという点については同じである。
【００６４】
図１１は、図１０に示すように折り曲げ線１４で谷折りに折り曲げたたくさんの識別色一体型粘着性再剥離糊部付きメモ用紙１をホワイトボード５０に貼り付けた状態を示す説明図である。
このようにすれば、限られたスペースの中に数多くのメモ用紙１を貼り付けることができるので、より多くの情報を共有することができるというメリットがある。
【００６５】
なお、図８に示すように、このメモ用紙１を折り曲げずにたくさんのメモ用紙１がホワイトボード５０等に貼られている状態であっても、各メモ用紙１の情報記入部１０に記載されたメモ内容については、近くまで行って内容を確認して処理したり対応するのであるから、図１１に示すように、各メモ用紙１が折り曲げられてホワイトボード５０等に貼られている状態であっても、担当者にとっての手間などはほとんど同じである。
【００６６】
以上のように、この発明の実施の形態１における識別色一体型粘着性再剥離糊部付きメモ用紙１によれば、このメモ用紙１に記載された処理内容の優先順位を誰もが一目でわかるように示すことができるので、大勢の関係者にとって優先順位が高い処理内容がどれであるかを一目で把握することができる。
【００６７】
また、誰がいつ処理を行ったのかを確認することができるとともに、優先順位が変化した場合にもその変化した優先順位を一目でわかるように示すことができるので、処理担当者が処理を行ったことによって優先順位が変化した場合にもそのことを全関係者が認識することができる。その結果、確実に優先順位の高い処理内容から処理を行うことができるので、重大な事態に発展することなく、災害等の緊急時にも落ち着いて必要な処理が順次行われることとなる。
【００６８】
なお、この識別色一体型粘着性再剥離糊部付きメモ用紙１を、優先順位が変化するようなことがないような状況において使用するのであれば、第１色部２１〜第４色部２４のいずれか１つ必要な色部のみを残して、他の不要な色部については切り取り可能な構造としてもよい。
【００６９】
実施の形態２．
図１２は、この発明の実施の形態２における識別色一体型粘着性再剥離糊部付きメモ用紙の一例を示す説明図である。なお、実施の形態１で説明したものと同様の構成には、同一の符号を付して重複した説明を省略する。以下に示す実施の形態２における識別色一体型粘着性再剥離糊部付きメモ用紙２は、図１に示す実施の形態１における識別色一体型粘着性再剥離糊部付きメモ用紙１に比べると、表面に、処理内容を記載するための情報記入部１０が設けられていない。
【００７０】
すなわち、この識別色一体型粘着性再剥離糊部付きメモ用紙２は、図１２（ａ）に示すように、正面視で上下および左右に幅を有する矩形のメモ用紙であって、このメモ用紙２の表面の最上部最左端部は、第１の優先順位を示す第１の識別可能な色（実施の形態１同様、この実施の形態２でも、赤色とする）が印刷された第１色部２１であり、そのすぐ右、すなわち、メモ用紙２の表面の第１色部２１の右隣は、第２の優先順位を示す第２の識別可能な色（黄色とする）が印刷された第２色部２２である。
【００７１】
また、このメモ用紙２の表面の最上部最右端部は、第４の優先順位を示す第４の識別可能な色（青色とする）が印刷された第４色部２４であり、そのすぐ左、すなわち、メモ用紙２の表面の第４色部２４の左隣は、第３の優先順位を示す第３の識別可能な色（緑色とする）が印刷された第３色部２３である。
【００７２】
また、第２色部２２と第３色部２３の間には、矩形の最上部中央領域１２が設けられており、実施の形態１における識別色一体型粘着性再剥離糊部付きメモ用紙１と同様に、この最上部中央領域１２には、例えばメモ内容の区分を記入することができるようにすることができる。ただし、この最上部中央領域１２は、必ずしも区分を記入する領域でなくてもよいし、メモを最初に記入した（受け付けた）日付や担当者を記入できるようにしてもよい。
【００７３】
そして、第１色部２１と第２色部２２との境界には上下方向の切り込み３１が入れられており、第２色部２２と最上部中央領域１２との境界には上下方向の切り込み３２が入れられている。また、最上部中央領域１２と第３色部２３との境界には上下方向の切り込み３３が入れられており、第３色部２３と第４色部２４との境界には上下方向の切り込み３４が入れられている。
【００７４】
また、メモ用紙２の表面の第１色部２１の直下から第４色部２４の直下までのメモ用紙２の左右の幅にわたる領域に、少なくとも、処理を行った日付および担当者を記入可能な矩形の日付担当者記入部１１が設けられている。
【００７５】
そして、第１色部２１と第２色部２２との境界、第２色部２２と最上部中央領域１２との境界、最上部中央領域１２と第３色部２３との境界、第３色部２３と第４色部２４との境界に、それぞれ上下方向の切り込み３１〜３４が入っていることにより、第１色部２１、第２色部２２、第３色部２３および第４色部２４は、それぞれの下辺を山にして折り曲げることにより、すなわち、それぞれの色部（２１〜２４）と日付担当者記入部１１との境界で山折りすることにより、それぞれが裏側に隠れて視認されなくなる。
【００７６】
さらに、図１２（ｂ）に示すように、このメモ用紙２の裏面には、少なくともメモ用紙２の表面の最上部中央領域１２および日付担当者記入部１１の裏側にあたる領域に、このメモ用紙２を貼付、剥離、再貼付および再剥離が可能な粘着性再剥離糊が塗布された粘着性再剥離糊部１３が設けられている。
【００７７】
すなわち、このメモ用紙２の裏面の粘着性再剥離糊部１３は、粘着性再剥離糊が塗布された粘着性の糊部であり、このメモ用紙２をホワイトボードやノートなどに貼り付けたり剥がしたりすることが何度でもできるようになっている。
【００７８】
なお、この実施の形態２においても、第１色部２１の裏側４１、第２色部２２の裏側４２、第３色部２３の裏側４３および第４色部２４の裏側４４には粘着性再剥離糊部１３は設けられていないが、これらの箇所にも粘着性再剥離糊を塗布し、これらの箇所と、最上部中央領域１２および日付担当者記入部１１の裏側にあたる領域とを、すなわち、このメモ用紙２の裏面全体を、粘着性再剥離糊部１３としてもよい。
【００７９】
また、上述のように、このメモ用紙２の表面が視認できる状態において、第１色部２１〜第４色部２４のそれぞれは、それぞれの色部（２１〜２４）の下辺で山折りされ、すなわち、それぞれの色部（２１〜２４）と日付担当者記入部１１との境界で山折りされ、それぞれの色部（２１〜２４）の裏側（４１〜４４）がメモ用紙２の裏面の粘着性再剥離糊部１３に貼り付けられることにより、表面側から視認することができないように裏側に折り曲げて固定可能である。
【００８０】
なお、上記のように折り曲げて、第１色部２１の裏側４１〜第４色部２４の裏側４４をメモ用紙２の裏面の粘着性再剥離糊部１３に貼り付けて固定することができるとともに、それをまた剥がして元に戻すことにより、第１色部２１〜第４色部２４のそれぞれを視認可能な状態にすることができる。
【００８１】
また、このメモ用紙２には、情報記入部１０が設けられていないが、処理内容やメモを記載した通常のメモ用紙（裏面に粘着性再剥離糊部１３が塗布されていないメモ用紙）に貼り付けて使用すれば、実施の形態１における識別色一体型粘着性再剥離糊部付きメモ用紙１と同様の使い方をすることができる。
【００８２】
図１３は、この発明の実施の形態２における識別色一体型粘着性再剥離糊部付きメモ用紙２を通常のメモ用紙（裏面に粘着性再剥離糊部１３が塗布されていないメモ用紙）に貼り付けた状態を表面側から見た使用例を示す図である。
【００８３】
図１３（ａ）に示すように、通常のメモ用紙５が識別色一体型粘着性再剥離糊部付きメモ用紙２の横幅より少し大きい場合であっても、また、図１３（ｂ）に示すように、通常のメモ用紙６が識別色一体型粘着性再剥離糊部付きメモ用紙２の横幅より少し小さい場合であっても、メモ用紙２の裏面の粘着性再剥離糊部１３の一部を通常のメモ用紙５，６の上部に貼り付けることができれば、実施の形態１における情報記入部１０を備えた識別色一体型粘着性再剥離糊部付きメモ用紙１と同じ機能を備えたメモ用紙として使用することができる。
【００８４】
また、図１４は、この発明の実施の形態２における識別色一体型粘着性再剥離糊部付きメモ用紙２を通常のメモ用紙（裏面に粘着性再剥離糊部１３が塗布されていないメモ用紙）に貼り付けた状態（図１３に示す状態）を裏面側から見た使用例を示す図である。すなわち、図１４（ａ）は、図１３（ａ）を裏面側から見た図であり、図１４（ｂ）は、図１３（ｂ）を裏面側から見た図である。
【００８５】
そして、このように通常のメモ用紙５，６に識別色一体型粘着性再剥離糊部付きメモ用紙２を貼り付けた状態であっても、メモ用紙２の表面が視認できる状態において、第１の識別可能な色が印刷された第１色部２１〜第４の識別可能な色が印刷された第４色部２４のそれぞれの下辺を山にして折り曲げることにより、第１色部２１の裏側４１〜第４色部２４の裏側４４を、メモ用紙２の裏面の粘着性再剥離糊部１３に貼り付けて固定することができるとともに、それをまた剥がして戻すことにより、第１色部２１〜第４色部２４のそれぞれを視認可能な状態にすることができる。
【００８６】
その結果、ここでは図示は省略するが、実施の形態１における図２〜図５と同様の使い方ができ、この実施の形態２における識別色一体型粘着性再剥離糊部付きメモ用紙２は、第１の優先順位を示す第１の識別可能な色が印刷された第１色部２１、第２の優先順位を示す第２の識別可能な色が印刷された第２色部２２、第３の優先順位を示す第３の識別可能な色が印刷された第３色部２３、第４の優先順位を示す第４の識別可能な色が印刷された第４色部２４のいずれか１つのみを視認できる状態とすることができるので、すべての関係者が、このメモ用紙２の処理内容がどの優先順位で処理すべき内容であるかを一目で把握することができる。
【００８７】
また、この実施の形態２の識別色一体型粘着性再剥離糊部付きメモ用紙２を用いることにより、どのような大きさの紙に処理内容が記載されたメモ用紙にも、この識別色一体型粘着性再剥離糊部付きメモ用紙２を貼り付けるだけで優先順位が一目でわかるようになり、処理日や担当者も記入できる実施の形態１の識別色一体型粘着性再剥離糊部付きメモ用紙１と同様の機能を果たすことができるので、大変便利である。
【００８８】
また、ここでは図示は省略するが、実施の形態１における図７〜図８と同様の使い方ができ、例えば図８に示すのと同様に、たくさんのメモ用紙２が貼り付けられている状態であっても、各メモ用紙２に記載された処理内容の優先順位を明確に示すことができ、たくさんのメモ用紙２がホワイトボード５０などに貼り付けられていたとしても、どの処理内容を優先して処理しなければいけないかを誰でも一目で認識することができる。
【００８９】
すなわち、各メモ用紙２の優先順位が一目で視認可能な状態になっており、処理の重要性が明確に示されていることにより、処理担当者は、どの処理が優先順位が高いものであるかをすぐに確認することができ、素早く適切な処理を行うことができるので、処理の迅速化をはかることが可能であり、かつ、処理手配の抜かりを防止することができる。
【００９０】
以上のように、この発明の実施の形態２における識別色一体型粘着性再剥離糊部付きメモ用紙２によれば、このメモ用紙２が貼り付けられた通常のメモ用紙（裏面に粘着性再剥離糊部１３が塗布されていないメモ用紙）に記載された処理内容の優先順位を一目でわかるように示すことができるので、大勢の関係者にとって優先順位が高い処理内容がどれであるかを一目で把握することができる。
【００９１】
また、誰がいつ処理を行ったのかを確認することができるとともに、優先順位が変化した場合にもその変化した優先順位を一目でわかるように示すことができるので、処理担当者が処理を行ったことによって優先順位が変化した場合にもそのことを全関係者が認識することができる。その結果、確実に優先順位の高い処理内容から処理を行うことができるので、重大な事態に発展することなく、災害等の緊急時にも落ち着いて必要な処理が順次行われることとなる。
【００９２】
また、この実施の形態２の識別色一体型粘着性再剥離糊部付きメモ用紙２を用いることにより、どのような大きさの紙に処理内容が記載されたメモ用紙にも、この識別色一体型粘着性再剥離糊部付きメモ用紙２を貼り付けるだけで優先順位が一目でわかるようになり、処理日や担当者も記入できる実施の形態１の識別色一体型粘着性再剥離糊部付きメモ用紙１と同様の機能を果たすことができるので、大変便利である。
【００９３】
実施の形態３．
図１５は、この発明の実施の形態３における識別色一体型粘着性再剥離糊部付きメモ用紙の一例を示す説明図である。なお、実施の形態１，２で説明したものと同様の構成には、同一の符号を付して重複した説明を省略する。以下に示す実施の形態３における識別色一体型粘着性再剥離糊部付きメモ用紙３は、図１に示す実施の形態１における識別色一体型粘着性再剥離糊部付きメモ用紙１と同様に、表面に、処理内容を記載するための情報記入部１０と、少なくとも情報記入部１０に記載された処理内容の処理日および処理担当者を記入するための日付担当者記入部１１とが設けられている。
【００９４】
また、メモ用紙３の表面の最上部左角部は、直角二等辺三角形状に第１の優先順位を示す第１の識別可能な色（実施の形態１，２同様、この実施の形態３でも、赤色とする）が印刷された第１色部２１であり、メモ用紙３の表面の最上部右角部は、直角二等辺三角形状に第２の優先順位を示す第２の識別可能な色（黄色とする）が印刷された第２色部２２である。
【００９５】
さらに、このメモ用紙３の表面には、最上部左角部を第１の識別可能な色（赤色）が印刷された直角二等辺三角形状の第１色部２１の底辺で谷折りする（手前側に折り曲げる）ことにより、その第１の識別可能な色（赤色）が印刷された第１色部２１を貼り付け可能な表面左上部の粘着性再剥離糊部１５と、最上部右角部を第２の識別可能な色（黄色）が印刷された直角二等辺三角形状の第２色部２２の底辺で谷折りする（手前側に折り曲げる）ことにより、第２の識別可能な色（黄色）が印刷された第２色部２２を貼り付け可能な表面右上部の粘着性再剥離糊部１６が設けられている。
【００９６】
また、このメモ用紙３の裏面の最上部右角部（すなわち、メモ用紙３の表面の最上部左角部の第１色部２１の裏側）は、直角二等辺三角形状に第３の優先順位を示す第３の識別可能な色（緑色とする）が印刷された第３色部２３であり、メモ用紙３の裏面の最上部右角部（すなわち、メモ用紙３の表面の最上部右角部の第２色部２２の裏側）は、直角二等辺三角形状に第４の優先順位を示す第４の識別可能な色（青色とする）が印刷された第４色部２４である。
【００９７】
また、このメモ用紙３の表面の最上部の、第１色部２１と第２色部２２の間には、矩形の最上部中央領域１２が設けられており、実施の形態１，２における識別色一体型粘着性再剥離糊部付きメモ用紙１，２と同様に、この最上部中央領域１２には、例えばメモ内容の区分を記入することができるようにすることができる。ただし、この最上部中央領域１２は、必ずしも区分を記入する領域でなくてもよい。
【００９８】
そして、このメモ用紙３の表面の第１色部２１と第２色部２２の間であって、最上部中央領域１２の直下にあたる部分に、少なくとも処理を行った日付および担当者を記入可能な矩形の日付担当者記入部１１が設けられている。
【００９９】
さらに、このメモ用紙３の裏面には、第３の識別可能な色（緑色）が印刷された第３色部２３と第４の識別可能な色（青色）が印刷された第４色部２４以外の上部、すなわち、少なくともメモ用紙３の表面の日付担当者記入部１１および最上部中央領域１２の裏側にあたる領域に、このメモ用紙３を貼付、剥離、再貼付および再剥離が可能な粘着性再剥離糊が塗布された粘着性再剥離糊部１３が設けられている。
【０１００】
すなわち、このメモ用紙３の裏面の粘着性再剥離糊部１３は、粘着性再剥離糊が塗布された粘着性の糊部であり、このメモ用紙３をホワイトボードやノートなどに貼り付けたり剥がしたりすることが何度でもできるようになっている。
【０１０１】
また、上述のように、このメモ用紙３の表面が視認できる状態において、直角二等辺三角形状の第１色部２１および第２色部２２のそれぞれは、それぞれの色部２１，２２の底辺で山折りされ、それぞれの色部２１，２２の裏側の第３色部２３、第４色部２４がメモ用紙３の裏面の粘着性再剥離糊部１３に貼り付けられることにより、表面側から視認することができないように裏側に折り曲げて固定することが可能である。
【０１０２】
また逆に、このメモ用紙３の表面が視認できる状態において、直角二等辺三角形状の第１色部２１および第２色部２２のそれぞれは、それぞれの色部２１，２２の底辺で谷折りされ、それぞれの色部２１，２２がメモ用紙３の表面の粘着性再剥離糊部１５，１６に貼り付けられることにより、それぞれの色部２１，２２の裏側の第３色部２３、第４色部２４が表面側から視認することができるように表側に折り曲げて固定することが可能である。
【０１０３】
なお、上記のように折り曲げて、第１色部２１〜第４色部２４をメモ用紙３の粘着性再剥離糊部（１３，１５，１６）に貼り付けて固定することができるとともに、それをまた剥がして元に戻すことにより、第１色部２１〜第４色部２４のいずれかを視認可能な状態にすることができる。
【０１０４】
次に、このメモ用紙３を使用する際の使用例について、図１６〜図１９を用いて説明する。図１６は、この実施の形態３において、メモ用紙３に記載された処理内容が第１優先順位で処理すべき内容である場合の使用例を示す説明図、図１７は、メモ用紙３に記載された処理内容が第２優先順位で処理すべき内容である場合の使用例を示す説明図、図１８は、メモ用紙３に記載された処理内容が第３優先順位で処理すべき内容である場合の使用例を示す説明図、図１９は、メモ用紙３に記載された処理内容が第４優先順位で処理すべき内容または処理が完了した場合の使用例を示す説明図である。
【０１０５】
メモ用紙３に記載された処理内容がかなり重要であり、第１優先順位で処理すべき内容であると判断した担当者は、図１５（ａ）に示す最上部右角部の第２の識別可能な色（黄色）が印刷された第２色部２２の直角二等辺三角形状の底辺で山折りにすることにより、その第２色部２２を裏側に倒して折り曲げて見えなくする。
【０１０６】
この結果、図１６に示すように、このメモ用紙３は第１の優先順位を示す第１の識別可能な色（赤色）が印刷された第１色部２１のみが視認できる状態となり、他の第２色部２２、第３色部２３、第４色部２４は視認できなくなるので、すべての関係者が、このメモ用紙３の処理内容が第１優先順位で処理すべき内容であることを一目で把握することができる。
【０１０７】
また、メモ用紙３に記載された処理内容が重要であり、第２優先順位で処理すべき内容であると判断した担当者は、図１５（ａ）に示す最上部左角部の第１の識別可能な色（赤色）が印刷された第１色部２１の直角二等辺三角形状の底辺で山折りにすることにより、その第１色部２１を裏側に倒して折り曲げて見えなくする。
【０１０８】
この結果、図１７に示すように、このメモ用紙３は第２の優先順位を示す第２の識別可能な色（黄色）が印刷された第２色部２２のみが視認できる状態となり、他の第１色部２１、第３色部２３、第４色部２４は視認できなくなるので、すべての関係者が、このメモ用紙３の処理内容が第２優先順位で処理すべき内容であることを一目で把握することができる。
【０１０９】
また、メモ用紙３に記載された処理内容がそれほど重要ではなく、第３優先順位で処理すればよい内容であると判断した担当者は、図１５（ａ）に示す最上部左角部の第１の識別可能な色（赤色）が印刷された第１色部２１の直角二等辺三角形状の底辺で谷折りにすることにより、その第１色部２１の裏側にある第３の識別可能な色（緑色）が印刷された第３色部２３を表から見えるようにするとともに、図１５（ａ）に示す最上部右角部の第２の識別可能な色（黄色）が印刷された第２色部２２の直角二等辺三角形状の底辺で山折りにすることにより、その第２色部２２を裏側に倒して折り曲げて見えなくする。
【０１１０】
この結果、図１８に示すように、このメモ用紙３は第３の優先順位を示す第３の識別可能な色（緑色）が印刷された第３色部２３のみが視認できる状態となり、他の第１色部２１、第２色部２２、第４色部２４は視認できなくなるので、すべての関係者が、このメモ用紙３の処理内容が第３優先順位で処理すべき内容であることを一目で把握することができる。
【０１１１】
また、メモ用紙３に記載された処理内容が重要ではなく、第４優先順位で処理すればよい内容であると判断した、または、処理が完了したと判断した担当者は、図１５（ａ）に示す最上部左角部の第１の識別可能な色（赤色）が印刷された第１色部２１の直角二等辺三角形状の底辺で山折りにすることにより、その第１色部２１を裏側に倒して折り曲げて見えなくするとともに、図１５（ａ）に示す最上部右角部の第２の識別可能な色（黄色）が印刷された第２色部２２の直角二等辺三角形状の底辺で谷折りにすることにより、その第２色部２２の裏側にある第４の識別可能な色（青色）が印刷された第４色部２４を表から見えるようにする。
【０１１２】
この結果、図１９に示すように、このメモ用紙３は第４の優先順位を示す第４の識別可能な色（青色）が印刷された第４色部２４のみが視認できる状態となり、他の第１色部２１、第２色部２２、第３色部２３は視認できなくなるので、すべての関係者が、このメモ用紙３の処理内容が第４優先順位で処理すべき内容であること、または、処理が完了したことを一目で把握することができる。
【０１１３】
このように、このメモ用紙３は、第１の優先順位を示す第１の識別可能な色が印刷された第１色部２１、第２の優先順位を示す第２の識別可能な色が印刷された第２色部２２、第３の優先順位を示す第３の識別可能な色が印刷された第３色部２３、第４の優先順位を示す第４の識別可能な色が印刷された第４色部２４のいずれか１つのみを視認できる状態とすることができるので、すべての関係者が、このメモ用紙３の処理内容がどの優先順位で処理すべき内容であるかを一目で把握することができる。
【０１１４】
また、ここでは図示は省略するが、実施の形態１における図７〜図８と同様の使い方ができ、例えば図８に示すのと同様に、たくさんのメモ用紙３が貼り付けられている状態であっても、各メモ用紙３に記載された処理内容の優先順位を明確に示すことができ、たくさんのメモ用紙３がホワイトボード５０などに貼り付けられていたとしても、どの処理内容を優先して処理しなければいけないかを誰でも一目で認識することができる。
【０１１５】
すなわち、各メモ用紙３の優先順位が一目で視認可能な状態になっており、処理の重要性が明確に示されていることにより、処理担当者は、どの処理が優先順位が高いものであるかをすぐに確認することができ、素早く適切な処理を行うことができるので、処理の迅速化をはかることが可能であり、かつ、処理手配の抜かりを防止することができる。
【０１１６】
以上のように、この発明の実施の形態３における識別色一体型粘着性再剥離糊部付きメモ用紙３によれば、このメモ用紙３に記載された処理内容の優先順位を一目でわかるように示すことができるので、大勢の関係者にとって優先順位が高い処理内容がどれであるかを一目で把握することができる。
【０１１７】
また、誰がいつ処理を行ったのかを確認することができるとともに、優先順位が変化した場合にもその変化した優先順位を一目でわかるように示すことができるので、処理担当者が処理を行ったことによって優先順位が変化した場合にもそのことを全関係者が認識することができる。その結果、確実に優先順位の高い処理内容から処理を行うことができるので、重大な事態に発展することなく、災害等の緊急時にも落ち着いて必要な処理が順次行われることとなる。
【０１１８】
実施の形態４．
図２０は、この発明の実施の形態４における識別色一体型粘着性再剥離糊部付きメモ用紙の一例を示す説明図である。なお、実施の形態１〜３で説明したものと同様の構成には、同一の符号を付して重複した説明を省略する。以下に示す実施の形態４における識別色一体型粘着性再剥離糊部付きメモ用紙４は、図１に示す実施の形態１における識別色一体型粘着性再剥離糊部付きメモ用紙１と同様に、表面に、処理内容を記載するための情報記入部１０と、少なくとも情報記入部１０に記載された処理内容の処理日および処理担当者を記入するための日付担当者記入部１１とが設けられている。
【０１１９】
また、メモ用紙４の表面の最上部左角部は、直角二等辺三角形状に第１の優先順位を示す第１の識別可能な色（実施の形態１〜３同様、この実施の形態４でも、赤色とする）が印刷された第１色部２１であり、メモ用紙４の表面の最上部右角部は、直角二等辺三角形状に第２の優先順位を示す第２の識別可能な色（黄色とする）が印刷された第２色部２２である。
【０１２０】
また、このメモ用紙４の表面の最上部の、第１色部２１と第２色部２２の間には、矩形の最上部中央領域１２が設けられており、実施の形態１〜３における識別色一体型粘着性再剥離糊部付きメモ用紙１〜３と同様に、この最上部中央領域１２には、例えばメモ内容の区分を記入することができるようにすることができる。ただし、この最上部中央領域１２は、必ずしも区分を記入する領域でなくてもよい。
【０１２１】
そして、このメモ用紙４の表面の第１色部２１と第２色部２２の間であって、最上部中央領域１２の直下にあたる部分に、少なくとも処理を行った日付および担当者を記入可能な矩形の日付担当者記入部１１が設けられている。
【０１２２】
また、このメモ用紙４の裏面の最上部右角部（すなわち、メモ用紙４の表面の最上部左角部の第１色部２１の裏側）は、直角二等辺三角形状に第３の優先順位を示す第３の識別可能な色（緑色とする）が印刷された第３色部２３であり、メモ用紙４の裏面の最上部右角部（すなわち、メモ用紙４の表面の最上部右角部の第２色部２２の裏側）は、直角二等辺三角形状に第４の優先順位を示す第４の識別可能な色（青色とする）が印刷された第４色部２４である。
【０１２３】
さらに、このメモ用紙４には、表面から視認した場合に、最上部左角部を直角二等辺三角形状の第１色部２１の底辺で山折りする（後ろ側に折り曲げる）または谷折りする（手前側に折り曲げる）ことにより、その第１色部２１を視認できなくしたり、その第１色部２１の裏側の第３色部２３を視認可能としたりすることができるよう、最上部左角部を折り曲げて固定可能な第１の切り込み６１が設けられている。
【０１２４】
また、このメモ用紙４には、表面から視認した場合に、最上部右角部を直角二等辺三角形状の第２色部２２の底辺で山折りする（後ろ側に折り曲げる）または谷折りする（手前側に折り曲げる）ことにより、その第２色部２２を視認できなくしたり、その第２色部２２の裏側の第４色部２４を視認可能としたりすることができるよう、最上部右角部を折り曲げて固定可能な第２の切り込み６２が設けられている。
【０１２５】
さらに、このメモ用紙４の裏面には、少なくともメモ用紙４の表面の日付担当者記入部１１および最上部中央領域１２の裏側にあたる領域に、このメモ用紙４を貼付、剥離、再貼付および再剥離が可能な粘着性再剥離糊が塗布された粘着性再剥離糊部１３が設けられている。
【０１２６】
すなわち、このメモ用紙４の裏面の粘着性再剥離糊部１３は、粘着性再剥離糊が塗布された粘着性の糊部であり、このメモ用紙３をホワイトボードやノートなどに貼り付けたり剥がしたりすることが何度でもできるようになっている。
なお、この識別色一体型粘着性再剥離糊部付きメモ用紙４においても、実施の形態３と同様に、第３色部２３と第４色部２４以外の上部領域に、粘着性再剥離糊部１３を設けるようにしてもよい。
【０１２７】
また、上述のように、このメモ用紙４の表面が視認できる状態において、直角二等辺三角形状の第１色部２１および第２色部２２のそれぞれは、それぞれの色部２１，２２の底辺で山折りされ、それぞれの色部２１，２２の角部をメモ用紙４の第１の切り込み６１、第２の切り込み６２に裏側から通して挟み込むことにより、第１色部２１、第２色部２２を表面側から視認することができないように折り曲げて固定可能である。
【０１２８】
また逆に、このメモ用紙４の表面が視認できる状態において、直角二等辺三角形状の第１色部２１および第２色部２２のそれぞれは、それぞれの色部２１，２２の底辺で谷折りされ、それぞれの色部２１，２２の角部をメモ用紙４の第１の切り込み６１、第２の切り込み６２に表側から通して挟み込むことにより、それぞれの色部２１，２２の裏側の第３色部２３、第４色部２４を表面側から視認することができるように折り曲げて固定可能である。
【０１２９】
なお、上記のように折り曲げて、第１色部２１〜第４色部２４をメモ用紙４の第１の切り込み６１および第２の切り込み６２に挟み込んで固定することができるとともに、それをまたはずして元に戻すことにより、第１色部２１〜第４色部２４のいずれかを視認可能な状態にすることができる。
【０１３０】
次に、このメモ用紙４を使用する際の使用例について、図２１〜図２４を用いて説明する。図２１は、この実施の形態４において、メモ用紙４に記載された処理内容が第１優先順位で処理すべき内容である場合の使用例を示す説明図、図２２は、メモ用紙４に記載された処理内容が第２優先順位で処理すべき内容である場合の使用例を示す説明図、図２３は、メモ用紙４に記載された処理内容が第３優先順位で処理すべき内容である場合の使用例を示す説明図、図２４は、メモ用紙４に記載された処理内容が第４優先順位で処理すべき内容または処理が完了した場合の使用例を示す説明図である。
【０１３１】
メモ用紙４に記載された処理内容がかなり重要であり、第１優先順位で処理すべき内容であると判断した担当者は、図２０（ａ）に示す最上部右角部の第２の識別可能な色（黄色）が印刷された第２色部２２の直角二等辺三角形状の底辺で山折りにしてその角部を第２の切り込み６２に裏側から通して挟み込むことにより、その第２色部２２を裏側に倒して折り曲げて見えなくする。
【０１３２】
この結果、図２１に示すように、このメモ用紙４は第１の優先順位を示す第１の識別可能な色（赤色）が印刷された第１色部２１のみが視認できる状態となり、他の第２色部２２、第３色部２３、第４色部２４は視認できなくなるので、すべての関係者が、このメモ用紙４の処理内容が第１優先順位で処理すべき内容であることを一目で把握することができる。
【０１３３】
また、メモ用紙４に記載された処理内容が重要であり、第２優先順位で処理すべき内容であると判断した担当者は、図２０（ａ）に示す最上部左角部の第１の識別可能な色（赤色）が印刷された第１色部２１の直角二等辺三角形状の底辺で山折りにしてその角部を第１の切り込み６１に裏側から通して挟み込むことにより、その第１色部２１を裏側に倒して折り曲げて見えなくする。
【０１３４】
この結果、図２２に示すように、このメモ用紙４は第２の優先順位を示す第２の識別可能な色（黄色）が印刷された第２色部２２のみが視認できる状態となり、他の第１色部２１、第３色部２３、第４色部２４は視認できなくなるので、すべての関係者が、このメモ用紙４の処理内容が第２優先順位で処理すべき内容であることを一目で把握することができる。
【０１３５】
また、メモ用紙４に記載された処理内容がそれほど重要ではなく、第３優先順位で処理すればよい内容であると判断した担当者は、図２０（ａ）に示す最上部左角部の第１の識別可能な色（赤色）が印刷された第１色部２１の直角二等辺三角形状の底辺で谷折りにしてその角部を第１の切り込み６１に表側から通して挟み込むことにより、その第１色部２１の裏側にある第３の識別可能な色（緑色）が印刷された第３色部２３を表から見えるようにするとともに、図２０（ａ）に示す最上部右角部の第２の識別可能な色（黄色）が印刷された第２色部２２の直角二等辺三角形状の底辺で山折りにしてその角部を第２の切り込み６２に裏側から通して挟み込むことにより、その第２色部２２を裏側に倒して折り曲げて見えなくする。
【０１３６】
この結果、図２３に示すように、このメモ用紙４は第３の優先順位を示す第３の識別可能な色（緑色）が印刷された第３色部２３のみが視認できる状態となり、他の第１色部２１、第２色部２２、第４色部２４は視認できなくなるので、すべての関係者が、このメモ用紙４の処理内容が第３優先順位で処理すべき内容であることを一目で把握することができる。
【０１３７】
また、メモ用紙４に記載された処理内容が重要ではなく、第４優先順位で処理すればよい内容であると判断した、または、処理が完了したと判断した担当者は、図２０（ａ）に示す最上部左角部の第１の識別可能な色（赤色）が印刷された第１色部２１の直角二等辺三角形状の底辺で山折りにしてその角部を第１の切り込み６１に裏側から通して挟み込むことにより、その第１色部２１を裏側に倒して折り曲げて見えなくするとともに、図２０（ａ）に示す最上部右角部の第２の識別可能な色（黄色）が印刷された第２色部２２の直角二等辺三角形状の底辺で谷折りにしてその角部を第２の切り込み６２に表側から通して挟み込むことにより、その第２色部２２の裏側にある第４の識別可能な色（青色）が印刷された第４色部２４を表から見えるようにする。
【０１３８】
この結果、図２４に示すように、このメモ用紙４は第４の優先順位を示す第４の識別可能な色（青色）が印刷された第４色部２４のみが視認できる状態となり、他の第１色部２１、第２色部２２、第３色部２３は視認できなくなるので、すべての関係者が、このメモ用紙４の処理内容が第４優先順位で処理すべき内容であること、または、処理が完了したことを一目で把握することができる。
【０１３９】
このように、このメモ用紙４は、第１の優先順位を示す第１の識別可能な色が印刷された第１色部２１、第２の優先順位を示す第２の識別可能な色が印刷された第２色部２２、第３の優先順位を示す第３の識別可能な色が印刷された第３色部２３、第４の優先順位を示す第４の識別可能な色が印刷された第４色部２４のいずれか１つのみを視認できる状態とすることができるので、すべての関係者が、このメモ用紙４の処理内容がどの優先順位で処理すべき内容であるかを一目で把握することができる。
【０１４０】
また、ここでは図示は省略するが、実施の形態１における図７〜図８と同様の使い方ができ、例えば図８に示すのと同様に、たくさんのメモ用紙３が貼り付けられている状態であっても、各メモ用紙４に記載された処理内容の優先順位を明確に示すことができ、たくさんのメモ用紙４がホワイトボード５０などに貼り付けられていたとしても、どの処理内容を優先して処理しなければいけないかを誰でも一目で認識することができる。
【０１４１】
すなわち、各メモ用紙４の優先順位が一目で視認可能な状態になっており、処理の重要性が明確に示されていることにより、処理担当者は、どの処理が優先順位が高いものであるかをすぐに確認することができ、素早く適切な処理を行うことができるので、処理の迅速化をはかることが可能であり、かつ、処理手配の抜かりを防止することができる。
【０１４２】
以上のように、この発明の実施の形態４における識別色一体型粘着性再剥離糊部付きメモ用紙４によれば、このメモ用紙４に記載された処理内容の優先順位を一目でわかるように示すことができるので、大勢の関係者にとって優先順位が高い処理内容がどれであるかを一目で把握することができる。
【０１４３】
また、誰がいつ処理を行ったのかを確認することができるとともに、優先順位が変化した場合にもその変化した優先順位を一目でわかるように示すことができるので、処理担当者が処理を行ったことによって優先順位が変化した場合にもそのことを全関係者が認識することができる。その結果、確実に優先順位の高い処理内容から処理を行うことができるので、重大な事態に発展することなく、災害等の緊急時にも落ち着いて必要な処理が順次行われることとなる。
【０１４４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【０１４５】
１，２，３，４  識別色一体型粘着性再剥離糊部付きメモ用紙
５，６  通常のメモ用紙（裏面に粘着性再剥離糊部１３が塗布されていないメモ用紙）
１０  情報記入部
１１  日付担当者記入部
１２  最上部中央領域
１３  識別色一体型粘着性再剥離糊部付きメモ用紙１〜４の裏面の粘着性再剥離糊部
１４  折り曲げ線
１５，１６  識別色一体型粘着性再剥離糊部付きメモ用紙３の表面の粘着性再剥離糊部
２１  第１の識別可能な色が印刷された第１色部
２２  第２の識別可能な色が印刷された第２色部
２３  第３の識別可能な色が印刷された第３色部
２４  第４の識別可能な色が印刷された第４色部
３１  第１色部２１と第２色部２２との境界の切り込み
３２  第２色部２２と最上部中央領域１２との境界の切り込み
３３  第３色部２３と最上部中央領域１２との境界の切り込み
３４  第３色部２３と第４色部２４との境界の切り込み
４１  第１色部２１の裏側
４２  第２色部２２の裏側
４３  第３色部２３の裏側
４４  第４色部２４の裏側
５０  ホワイトボード
６１  第１の切り込み
６２  第２の切り込み
【図１】
0006298774.tif 000002
【図２】
0006298774.tif 000003
【図３】
0006298774.tif 000004
【図４】
0006298774.tif 000005
【図５】
0006298774.tif 000006
【図６】
0006298774.tif 000007
【図７】
0006298774.tif 000008
【図８】
0006298774.tif 000009
【図９】
0006298774.tif 000010
【図１０】
0006298774.tif 000011
【図１１】
0006298774.tif 000012
【図１２】
0006298774.tif 000013
【図１３】
0006298774.tif 000014
【図１４】
0006298774.tif 000015
【図１５】
0006298774.tif 000016
【図１６】
0006298774.tif 000017
【図１７】
0006298774.tif 000018
【図１８】
0006298774.tif 000019
【図１９】
0006298774.tif 000020
【図２０】
0006298774.tif 000021
【図２１】
0006298774.tif 000022
【図２２】
0006298774.tif 000023
【図２３】
0006298774.tif 000024
【図２４】
0006298774.tif 000025